(57)【要約】  吸収性物品は、バックシートの一部分及び横方向に対向するサイドフラップの一部分を形成する少なくとも１つの連続層を含むウェブを含み得る。ウェブは、サイドフラップを形成するために横方向に内向きに折り畳まれ得る。吸収性物品は、バックシートの表面上に配置される、外部から視認可能な第１デザイン領域と、第１サイドフラップの表面上及び第２サイドフラップの表面上にそれぞれ配置される、内部から視認可能な第２デザイン領域及び第３デザイン領域と、第１腹部伸縮性パネルの表面上及び第２腹部伸縮性パネルの表面上にそれぞれ配置される、視認可能な第４デザイン領域及び第５デザイン領域と、吸収性アセンブリと、を更に含み得る。
2011522681.tif 000002
【特許請求の範囲】
【請求項１】
バックシートの一部分及び横方向に対向するサイドフラップの一部分を形成する少なくとも１つの連続層を含むウェブであって、前記ウェブは、前記サイドフラップを形成するために横方向に内向きに折り畳まれている、ウェブと、
前記バックシートの表面上に配置される、外部から視認可能な第１デザイン領域と、
第１サイドフラップの表面上及び第２サイドフラップの表面上にそれぞれ配置される、内部から視認可能な第２デザイン領域及び第３デザイン領域と、
第１腹部伸縮性パネルの表面上及び第２腹部伸縮性パネルの表面上にそれぞれ配置される、視認可能な第４デザイン領域及び第５デザイン領域と、
吸収性アセンブリと、を含む、吸収性物品。
【請求項２】
前記第１デザイン領域が、複数の、視覚的に区別できる色を含む、請求項１に記載の吸収性物品。
【請求項３】
前記第２、第３、第４、及び第５デザイン領域が、実質的に単色である、請求項２に記載の吸収性物品。
【請求項４】
前記第２、第３、第４、及び第５デザイン領域が、実質的に白色である、請求項３に記載の吸収性物品。
【請求項５】
前記第１、第２、及び第３デザイン領域が、実質的に単色である、請求項１に記載の吸収性物品。
【請求項６】
前記第４及び第５デザイン領域のうちの１つが、複数の、視覚的に区別できる色を含む、請求項５に記載の吸収性物品。
【請求項７】
前記第１、第２、及び第３デザイン領域が、実質的に白色である、請求項６に記載の吸収性物品。
【請求項８】
前記第４及び第５デザイン領域のうちの１つが、複数の、視覚的に区別できる色を含む、請求項１に記載の吸収性物品。
【請求項９】
前記第１デザイン領域が、複数の、視覚的に区別できる色を含む、請求項８に記載の吸収性物品。
【請求項１０】
前記第２及び第３デザイン領域が、実質的に単色である、請求項９に記載の吸収性物品。
【請求項１１】
前記第２及び第３デザイン領域が、実質的に白色である、請求項１０に記載の吸収性物品。
【請求項１２】
前記第１、第２、第３、第４、及び第５デザイン領域が、複数の、視覚的に区別できる色を含む、請求項１に記載の吸収性物品。
【請求項１３】
前記第２、第３、第４、及び第５デザイン領域が、複数の、視覚的に区別できる色を含む、請求項１に記載の吸収性物品。
【請求項１４】
前記第１デザイン領域が、実質的に単色である、請求項１３に記載の吸収性物品。
【請求項１５】
前側腰部区域に配置される前記第１及び第４デザイン領域が、第１グラフィック要素を含み、後側腰部区域に配置される前記第１及び第５デザイン領域のうちの１つが、第２グラフィック要素を含み、前記第１及び第２グラフィック要素は、前記吸収性物品の前側及び後側の方向の指標を提供する、請求項１に記載の吸収性物品。
【発明の詳細な説明】
【技術分野】
【０００１】
本発明は、使い捨ておむつ及び失禁症者に使用することを意図する他の物品などの、使い捨て吸収性物品に関する。
【背景技術】
【０００２】
使い捨て吸収性物品は、着用者の身体及び衣類、並びに寝具、又は着用者が接触する他のものを汚すのを防ぐため、体外排泄物を吸収及び収容するように設計される。使い捨て吸収性物品の使用法が拡大するにつれて、その性能及び外観を向上させる働きをする追加機能の導入に伴う複雑さが増した。複雑さが増すと共に、材料のコスト及び製造プロセスのコストも高まった。結果として、これらの物品の販売価格は、世界中の多くの潜在的購入者が支払う余裕のないレベルまで上昇した。
【発明の概要】
【発明が解決しようとする課題】
【０００３】
したがって、シンプルな使い捨て吸収性物品の必要性がある。主に審美的な魅力を提供するために、吸収性物品上で印刷及びグラフィックが使用されている。印刷及びグラフィックは、吸収性物品の特定の要素を他の要素から強調する、及び／又は他の要素と区別することによる機能的利点を提供することもできる。本発明のデザイン領域によって、バックシートと機能性ガスケット要素、例えば、腹部伸縮性パネルとサイドフラップとの間に明確な区別がもたらされる。この区別化は、漏れ防止を最大限にするために、着用者又は介護者がこれらのガスケット要素を適切に位置決めするのを助ける。吸収性物品のバックシート部分上のグラフィックは、主に審美的な魅力をもたらすために供され得るが、バックシートデザイン領域と他のデザイン領域との間の対比は、機能的な区別化を提供するのを助ける。
【課題を解決するための手段】
【０００４】
吸収性物品は、バックシートの一部分及び横方向に対向するサイドフラップの一部分を形成する少なくとも１つの連続層を含むウェブを含み得る。ウェブは、サイドフラップを形成するために横方向に内向きに折り畳まれていてもよい。吸収性物品は、バックシートの表面上に配置される、外部から視認可能な第１デザイン領域と、第１サイドフラップの表面上及び第２サイドフラップの表面上にそれぞれ配置される、内部から視認可能な第２デザイン領域及び第３デザイン領域と、第１腹部伸縮性パネルの表面上及び第２腹部伸縮性パネルの表面上にそれぞれ配置される、視認可能な第４デザイン領域及び第５デザイン領域と、吸収性アセンブリと、を更に含み得る。
【図面の簡単な説明】
【０００５】
添付図面の中で、同様の参照番号は同様の要素を同定し、これは図示された、いくつかの代表的な実施形態において同一であってもよく、あるいは同一でなくてもよい。いくつかの図は、他の要素をより簡潔に示すため、選択された要素を省略することで簡易化されてもよい。いくつかの図中のかかる要素の省略は、対応する明細書の中で明確に述べられている場合を除き、代表的な実施形態のいずれかにおいて必ずしも特定要素の有無を暗示するものではない。
【０００６】
図面及び書面による説明において、参照番号に付した小文字はほぼ対称となる要素を示し、例えば、左及び右の対称的な要素はそれぞれ、参照番号１ａ及び１ｂにより識別される場合がある。添付の小文字のない参照番号は、特定の参照番号が適用される要素の全てを識別し、例えばグループとして同じ要素は１と表記されてもよい。
【０００７】
種々の要素の縁部は明確にするために、互いから片寄って示され、互いに直接隣接する平行な縁部の記述はこれらの縁部が互いに同一線上に又は密に近接して配置されているのを表すことを意図する。
【図１】おむつ２０の形態である代表的な使い捨て吸収性物品の平面図であり、その平坦な非収縮状態、すなわち、伸縮部材によって生じる収縮のない状態で示されている。図１において、おむつの内部は見る人に面して示される。
【図２】はおむつ２０の外部部分が見る人に面して示される、図１のおむつ２０の平面図。
【図３】図１のおむつ２０の、切断線３−３で取った断面図。
【図４】図１のおむつ２０の、切断線４−４で取った断面図。
【図５】図１のおむつ２０の、切断線５−５で取った断面図。
【図６】図１のおむつ２０の、切断線６−６で取った断面図。
【図７】着用者の胴体下部の周りに着用された、図１の代表的なおむつ２０の簡易側面図。
【図８】図７のおむつ２０の正面図。
【図９】図７のおむつ２０の背面図。
【図１０】積層伸縮性パネルの正面図。
【図１１】伸長状態の、図１０の積層伸縮性パネルの図。
【図１２】吸収性アセンブリ２００の内部部分が見る人に面して示される、代表的な吸収性アセンブリ２００の平面図。
【図１３】図１２の吸収性アセンブリの、切断線１３−１３で取った断面図。
【図１４】図１２の吸収性アセンブリの、切断線１４−１４で取った断面図。
【図１５】図１２の吸収性アセンブリ２００の代替の実施形態の断面図。
【図１６】内側ライナーを含む、図１のおむつ２０の代替の実施形態の、切断線３−３で取った断面図。
【図１７】内側ライナーを含む、図１のおむつ２０の代替の実施形態の、切断線６−６で取った断面図。
【図１８】図１のサイドフラップ１４７の代替の実施形態の、切断線４−４で取った断面図。
【図１９】図１のサイドフラップ１４７の代替の実施形態の、切断線４−４で取った断面図。
【図２０】図１のサイドフラップ１４７の代替の実施形態の、切断線４−４で取った断面図。
【図２１】代表的なシャーシウェブ１４９の代替の実施形態の平面図であり、その平坦な非収縮状態、すなわち、伸縮部材によって生じる収縮がなく、サイドフラップの形成前の状態が示されている。図２１において、おむつの外部は、見る人に面して示される。
【図２２】代表的なシャーシウェブ１４９の代替の実施形態の平面図であり、その平坦な非収縮状態、すなわち、伸縮部材によって生じる収縮がなく、サイドフラップが形成される前の状態が示されている。図２２において、おむつの外部は、見る人に面して示される。
【図２３】代表的なシャーシウェブ１４９の代替の実施形態の平面図であり、その平坦な非収縮状態、すなわち、伸縮部材によって生じる収縮がなく、サイドフラップが形成される前の状態が示されている。図２３において、おむつの外部は、見る人に面して示される。
【図２４】図２３のおむつ２０の断面図。
【図２５】図２３のシャーシウェブ１４９の代替の実施形態の平面図。
【図２６】図２５のシャーシウェブ１４９の断面図。
【図２７】図２３のシャーシウェブ１４９の代替の実施形態の平面図。
【図２８】図２７のシャーシウェブ１４９の断面図。
【図２９】取り付けられたサイドフラップを含む、図１のサイドフラップ１４７の代替の実施形態の、切断線４−４で取った断面図。
【図３０】図１の腹部伸縮性パネル３７０の代替の実施形態の、長手方向軸線４２に沿って取った断面図。
【図３１】内側ライナーを含む、図１のおむつ２０の代替の実施形態の、長手方向軸線４２に沿って取った断面図。
【発明を実施するための形態】
【０００８】
本明細書において、次の用語は、次の意味を有する。
【０００９】
用語「吸収性物品」は、液体を吸収及び収容するデバイスを指し、より具体的には、着用者の身体に接触して又は近接して配置され、身体から排泄された様々な排出物を吸収及び収容するデバイスを指す。
【００１０】
用語「おむつ」は、胴体下部の周囲で幼児及び失禁症者によって一般に着用され、特に尿及び糞便を受容し、収容するように構成されている吸収性物品を指す。おむつは、テープ型おむつ又はプルオン（パンツ型）おむつの形態であってよい。
【００１１】
用語「使い捨て」は、洗濯又は別の方法で吸収性物品として回復若しくは再利用されることを一般に意図しない吸収性物品、すなわち、一回の使用後に廃棄する、リサイクルし得る、堆肥化する又は別の環境に適合する方法で処理することを意図する吸収性物品の性質を指す。
【００１２】
用語「長手方向」は、物品の腰縁部から対向する腰縁部までにわたり、かつ物品の最長直線の長さに対して概ね平行な方向を指す。長手方向の４５°以内の方向は、「長手方向」であると見なされる。
【００１３】
用語「横方向」は、物品の側縁部から対向する側縁部までにわたり、かつ長手方向に対して概ね直角である方向を指す。横方向から４５°以内の方向は、「横方向」であると見なされる。
【００１４】
用語「周辺」は、横方向にほぼ平行な、着用者の腰部を取り囲む方向を指す。
【００１５】
用語「配置された」は、ある要素が他の要素に対して単一構造体における特定の場所又は位置に取り付け及び配置されていることを指す。
【００１６】
用語「取り付ける」は、要素を相互に及びその構成材料に取り付けるのに好適な任意の方法により、接着、結合、締着などによって、要素が連結又は一体化されることを指す。接着剤、圧力、熱、機械など、要素を相互に取り付ける又は接合するのに好適な多くの手段が周知である。かかる取付け方法は、特定の領域で連続的又は断続的に要素を相互に取り付けるために使用され得る。特に指示がない限り、「互いに取り付けられる」と記載される要素は、要素間に、何も使用しないか、又は１つ以上の閉鎖部材（例えば、接着剤若しくはファスナー）を介してのいずれかで、相互に直接取り付けられる。互いに取り付けられると記載される要素は、永続的若しくは一時的に相互に取り付けられる、すなわち、永続的な取付けとは、要素及び／又は存在する任意の閉鎖部材のうちの１つ又は両方が、再取付け可能でないか、再締着可能でないように分離するために、機能的に破壊されるべきであることを意味し、一時的な取付けとは、要素及び／又は存在する任意の閉鎖手段のうちの１つ又は両方が、その閉鎖手段の機能性を実質的に維持しながら、複数回、分離され、再取り付けされる又は再締着（すなわち、開閉）され得ることを意味する。
【００１７】
用語「積層体」は、層状配置で相互に取り付けられている要素を指す。
【００１８】
用語「透水性」及び「不透水性」は、使い捨て吸収性物品の意図された使用法に関連した材料の浸透性を指す。具体的には、用語「透水性」は、強制圧力がなくても液体水がその厚みを通り抜けられるようにする孔、開口部、及び／又は互いに結合された空隙を有する層若しくは層状構造を指す。それとは逆に、用語「不透水性」は、強制圧力がない場合、液体水がその厚みを通り抜けることができない層又は層状構造を指す。この定義に従う不透水性の層又は層状構造は、水蒸気に対して透過性であってもよく、すなわち、「水蒸気透過性」であってもよい。かかる水蒸気透過性の層又は層状構造は、一般に、当該技術分野において「通気性」として既知である。当該技術分野において周知であるように、一般に吸収性物品において使用される材料の水に対する浸透度を測定するための一般的な方法は、水圧試験であり、またの名を静水頭試験（hydrostatic head test）あるいは単に「水頭（hydrohead）」試験という。水頭試験に好適な周知の簡潔な方法は、ＩＮＤＡ（以前はＩｎｔｅｒｎａｔｉｏｎａｌ  Ｎｏｎｗｏｖｅｎｓ  ａｎｄ  Ｄｉｓｐｏｓａｂｌｅｓ  Ａｓｓｏｃｉａｔｉｏｎ、現在はＡｓｓｏｃｉａｔｉｏｎ  ｏｆ  ｔｈｅ  Ｎｏｎｗｏｖｅｎ  Ｆａｂｒｉｃｓ  Ｉｎｄｕｓｔｒｙ）及びＥＤＡＮＡ（Ｅｕｒｏｐｅａｎ  Ｄｉｓｐｏｓａｂｌｅｓ  Ａｎｄ  Ｎｏｎｗｏｖｅｎｓ  Ａｓｓｏｃｉａｔｉｏｎ）によって承認された。
【００１９】
用語「近位」及び「遠位」は、構造の中央に近い要素又は遠い要素の位置をそれぞれ指し、例えば、長手方向に延びる要素の近位縁の長手方向軸線に対する位置は、同じ要素の遠位縁の同じ長手方向軸線に対する位置よりも、長手方向軸線に近い。
【００２０】
用語「内部」及び「外部」はそれぞれ、吸収性物品が着用されるとき、着用者の身体に接して又は向かって配置されることを意図する要素の位置、並びに吸収性物品の上に着用されるいずれかの衣類に接して又は向かって配置されることを意図する要素の位置を指す。「内部」及び「外部」の類義語としては、それぞれ「内方」及び「外方」、並びに「内側」及び「外側」が挙げられる。また、類義語としては、吸収性物品の内部が上方に面するように配向される場合、例えば、吸収性物品の上部に着用者を配置する準備をして吸収性物品を展開する場合、それぞれ「上側」及び「下側」、「上部」及び「下部」、「上方」及び「下方」、並びに「頂部」及び「底部」が挙げられる。
【００２１】
用語「不織布」は、機械的、熱的又は化学的手段を通して、繊維を結合又は交絡加工（entangling）することにより作製される、一方向に又はランダムに配向された繊維のシート、ウェブ又はバットを指す。不織布材料は、紙及びウェットミリングにより織られた、編まれた、房状になった又はフェルト化された製品を除く。繊維は、人工の合成繊維であってよい。
【００２２】
用語「腹部伸縮性パネル」は、周辺方向に伸張されるときに、おむつの腰部開口部の周りに周辺収縮力を提供することにより、伸長に抵抗する構造要素を指す。
【００２３】
用語「適用力」は、着用者におむつを適用するために、おむつの腰部区域を延ばすのに必要な力である。
【００２４】
用語「持続的適合力」は、適切な適合、ガスケット、及び持続的配置（すなわち、持続的適合）を与えるために、適用後に身体接触が必要である腰部においておむつによって与えられる力である。
【００２５】
代表的なおむつの実施形態の説明
図１、図２、図３、図４、図５、及び図６では、代表的なおむつ２０が、パンツに成形する前の平坦な非収縮状態で示されている。完成したパンツ製品が、図７、図８、及び図９に示される。
【００２６】
代表的なおむつ２０の１つの末端部分は、前側腰部区域３６として構成され得る。長手方向に対向する末端部分は、後側腰部区域３８として構成され得る。前側腰部区域３６と後側腰部区域３８との間で長手方向に延びるおむつ２０の中間部分は、股部区域３７として構成され得る。
【００２７】
おむつ２０の基本構造体は、シャーシ１００を含む。シャーシ１００は、前側腰部区域３６で横方向に延びる前側腰縁部１３６と、後側腰部区域３８で長手方向に対向して横方向に延びる後側腰縁部１３８とを有する。シャーシ１００は、長手方向に延びる左側縁部１３７ａと、横方向に対向して長手方向に延びる右側縁部１３７ｂとを有し、シャーシの側縁部は、両方とも前側腰部縁部１３６と後側腰部縁部１３８との間を長手方向に延びる。シャーシ１００は、内面１０２及び外面１０４を有する。シャーシ１００は、長手方向軸線４２及び横方向軸線４４も有する。長手方向軸線４２は、前側腰縁部１３６の中点を通り、また、後側腰縁部１３８の中点を通って延びる。横方向軸線４４は、左側縁部１３７ａの中点を通り、また、右側縁部１３７ｂの中点を通って延びる。図１に示される代表的なシャーシ１００は、更に、長手方向に延びて横方向に対向するサイドフラップ１４７ａ及び１４７ｂを有し、それらは下記で更に詳細に説明される。バックシート及びサイドフラップ（サイドバリア及びカフフラップなど）を形成するシャーシ部分は、１つ以上の層を含むウェブ（本明細書中では、「シャーシウェブ」）によって形成され得る。シャーシウェブ１４９を形成する１つ以上の層は、水不透過性であってよい。シャーシウェブ１４９を形成する層は、横方向範囲が異なるか、同じ幅であってよい。また、シャーシウェブ１４９、並びに、シャーシウェブ１４９を形成する層は、横方向及び／又は長手方向に連続してよい。
【００２８】
おむつ２０の基本構造体はまた、シャーシ１００に取り付けられ得る吸収性アセンブリ２００も含む。吸収性アセンブリ２００は、前側腰部区域３６で横方向に延びる前側縁部２３６と、後側腰部区域３８で長手方向に対向して横方向に延びる後側縁部２３８とを有する。吸収性アセンブリ２００は、長手方向に延びる左側縁部２３７ａと、横方向に対向して長手方向に延びる右側縁部２３７ｂとを有し、吸収性アセンブリのどちらの側縁部も、前側縁部２３６と後側縁部２３８の間で長手方向に延びる。吸収性アセンブリ２００は、内面２０２と外面２０４とを有する。吸収性アセンブリ２００は、長手方向軸線４２及び横方向軸線４４のどちらか又は両方に関して対称に配置されてもよい。あるいは、吸収性アセンブリ２００は、長手方向軸線４２及び横方向軸線４４のどちらか又は両方に関して非対称に配置されてもよい。例えば、図１に示される吸収性アセンブリ２００は、長手方向軸線４２に関して対称に配置され、横方向軸線４４に関して非対称に配置される。特に、図１に示される吸収性アセンブリ２００は、前側腰部区域３６寄りに非対称に配置される。
【００２９】
吸収性アセンブリ２００の前側縁部２３６、後側縁部２３８、左側縁部２３７ａ及び右側縁部２３７ｂはそれぞれ、図１に示される代表的なおむつ２０の場合のように、シャーシ１００の前側腰縁部１３６、後側腰縁部１３８、左側縁部１３７ａ及び右側縁部１３７ｂのそれぞれの内側に位置してよい。特定の実施形態では、吸収性アセンブリ２００の前側縁部２３６及び後側縁部２３８は、前側内部腹部伸縮性パネル３７０及び後側内部腹部伸縮性パネル３９０の内側、例えば、内部腹部伸縮性パネル３７０及び３９０の近位縁３７２及び３９２と横方向軸線４４との間に位置してよい。あるいは、吸収性アセンブリ２００の１つ以上の縁部は、対応するシャーシ１００の縁部と一致してよい。更に他の代替の実施形態では、図１及び図３０に示されるように、内部前側腹部伸縮性パネル３７０及び内部後側腹部伸縮性パネル３９０は、吸収性アセンブリ２００の一部分と重なり合ってよい。このように重なり合った形体では、内部腹部伸縮性パネル３７０及び／又は３９０は、内部腹部伸縮性パネル３７０及び／又は３９０の長手方向範囲の一部分にわたる、特に、シャーシの横方向中央部分、すなわち、横方向に対向するサイドフラップ１４７間の領域、例えば１１７と１１８との間の領域において、腰部における尿及び／若しくは糞便の漏れを防ぐのに役立つポケット６５０を形成する腰部キャップ又はスタンドアップ型腰部機能を腹部伸縮性パネルに提供するために、吸収性アセンブリ２００に取り付けられないままでいることが有利であり得る
シャーシ１００は、図１６及び１７で図示されるように、バックシート２６及び／又は吸収性アセンブリ２００に取り付けられる内側ライナー２２を更に含む。内側ライナー２２は、着用者の身体に対して配置されることを意図する、シャーシ１００の内面１０２の一部分を形成してよい。内側ライナー２２は、着用者の皮膚に刺激を与えない柔軟な材料から形成され得る。例えば、皮膚とバックシート２６との間の接触が不快であり得る状態でおむつ２０が着用されるとき、そのような内側ライナー２２は、着用者の皮膚とバックシート２６の一部分とを望ましいように隔てるのに役立ち得る。内側ライナー２２に好適な多くの材料が当該技術分野において周知であり、レーヨン及び合成不織布、例えばスパンボンドされた、若しくは毛羽立てられたポリプロピレン又はポリエステルが挙げられる。内側ライナー２２は、バックシート２６と同じ幅、かつ同じ長さまで延びてよい。
【００３０】
あるいは、内側ライナー２２の１つ以上の縁部は、シャーシ１００の縁部（すなわち、側縁部１３７ａ及び１３７ｂ、並びに腰終縁部１３６及び１３８）の内側に位置してよい。例えば、図１に示される代表的なおむつ２０を参照すると、吸収性アセンブリ２００の前縁部２３６とシャーシ１００の前側腰縁部１３６との間の前側間隙６０６、及び吸収性アセンブリ２００の後縁部２３８とシャーシ１００の後側腰縁部１３８との間の間隙６０７に位置する内側ライナー２２（図１６及び１７を参照のこと）の部分のみが露出しており、その一方で内側ライナー２２の残りの部分は、吸収性アセンブリ２００及びサイドフラップ１４７ａ及び１４７ｂにより覆われている。したがって、前側腰部区域３６内の前側間隙６０６に配置された内側ライナー２２の横方向に延びるストリップ、及び後側腰部区域３８内の間隙６０７に配置された内側ライナー２２の横方向に延びる同様のストリップは、これら２つの間隙においてバックシート２６から着用者の皮膚を隔てるのに十分であり得る。内側ライナー２２は、サイドフラップ１４７の下側に部分的に配置されてよいか、又は別の方法として内側ライナー２２は、腰部区域３６及び３８のうちの１つ若しくは両方におけるサイドフラップ１４７の頂部に配置されてよい。特定の実施形態では、図３１に示されるように、内側ライナー２２は、吸収性アセンブリ２００の一部分と重なり合ってよい。このように重なり合った形体では、内側ライナー２２が、内側ライナー２２の長手方向範囲の一部分にわたる、特に横方向中央部分、横方向に対向するサイドフラップ１４７間の領域、例えば１１７と１１８との間の領域において、腰部における尿及び／若しくは糞便の漏れを防ぐのに役立つポケット６５０を形成する腰部キャップ又はスタンドアップ型腰部機能を内側ライナーにもたらすために、吸収性アセンブリ２００に取り付けられないままでいることが有利であり得る。
【００３１】
おむつ２０の基本構造は腰部区域においてシャーシ１００に取り付けられ得る少なくとも１つの腹部伸縮性パネルも含む。シャーシ１００が周辺方向に伸張されるときに、腹部伸縮性パネルはおむつ２０の腰部開口部の周りに周辺収縮力を提供することにより抵抗する。図１、図２、図３、図４、図５及び図６では、４つの腹部伸縮性パネルを有するおむつ２０を示す。具体的には、図１及び図３では、おむつ２０の前側腰部区域３６のシャーシ１００内部に取り付けられた前側内部腹部伸縮性パネル３７０を示す。同様に、図１及び図６では、おむつ２０の後側腰部区域３８のシャーシ１００内部に取り付けられた後側内部腹部伸縮性パネル３９０を示す。図２及び図３では、前側腰部区域３６のシャーシ１００外部に取り付けられた前側外部腹部伸縮性パネル３６０を示す。最後に、図２及び図６では、おむつ２０の後側腰部区域３８のシャーシ１００外部に取り付けられた後側外部腹部伸縮性パネル３８０を示す。腹部伸縮性パネルは、非伸長状態で吸収性物品の表面に適用される、すなわち、例えば、適用中などに物品の腰部区域が横に延ばされるまで、腹部伸縮性パネルは、物品に、ほとんど又は全く収縮力を加えない。あるいは、腹部伸縮性パネルは、伸長下で吸収性物品の表面に適用されてよく、したがって、使用前に、物品の腰部区域にいくらかの収縮力がかかる。
【００３２】
あるいは、おむつ２０は、上述のような４つの腹部伸縮性パネルを有してよく、着用者の腰部の周りに適切なレベルの周辺収縮力を提供することが望ましいときに、腹部伸縮性パネルを１つ、２つ又は３つのみ有してもよい。例えば、いくつかの実施形態では、おむつ２０は、前側外部腹部伸縮性パネル３６０のみを有してよく、一方、他の代表的な実施形態では、おむつ２０は前側外部腹部伸縮性パネル３６０及び後側外部腹部伸縮性パネル３８０の両方を有してもよい。いくつかの代表的な実施形態では、おむつ２０は、前側内部腹部伸縮性パネル３７０のみを有してよく、一方他の代表的な実施形態では、おむつ２０は前側内部腹部伸縮性パネル３７０及び後側内部腹部伸縮性パネル３９０の両方を有してもよい。いくつかの代表的な実施形態では、おむつ２０は、前側腰部区域３６又は後側腰部区域３８のいずれかに外部腹部伸縮性パネル及び内部腹部伸縮性パネルを有してよく、対向する腰部区域に外部腹部伸縮性パネル又は内部腹部伸縮性パネルのいずれかのみを有してもよい。外部腹部伸縮性パネル３６０及び３８０は、バックシート２６の外面に取り付けられ得る。内部腹部伸縮性パネル３７０及び３９０は、シャーシ１０２の内表面及び／又は吸収性アセンブリ２０２の内表面及び／又はサイドフラップ１４７ａ及び１４７ｂの上面６１３ａに取り付けられ得る。
【００３３】
特に、プルオンパンツとして構成されるおむつであるおむつ２０の適用中、おむつ２０は、着用者の脚部に沿って、かつ尻部から腰部にわたって上方に引っ張られ得る。いくつかの要因によって、プルオン形式のおむつにおいて適用が容易となる。第１に、着用者又は介護者は、着用者の脚を脚開口部に容易に通すことができるであろう。第２に、腹部伸縮性パネル３６０、３７０、３８０、及び３９０は、条件に合った適用力（すなわち、着用者又は着用者の介護者が腹部伸縮性パネル３６０、３７０、３８０、及び３９０を、過度の力を加えずに、延ばし、着用者の臀部及び尻部にかけておむつを上方に引っ張ることのできる力）を有するであろう。過度の適用力によって、介護者及び／又は着用者、例えば、自分でパンツを上下に引っ張るおむつトレーニングをしている幼児の両方にとって、おむつ２０の適用がより困難なものとなる。最後に、腹部伸縮性パネル３６０、３７０、３８０、及び３９０は、適切なレベルの着用力又は持続的適合力（すなわち、腹部伸縮性パネル３６０、３７０、３８０、及び３９０が、皮膚に印をつけることなく、腰部においておむつ２０の配置、適合、及びガスケットの維持などの必要とされる持続的適合をもたらす、着用中に着用者の腰部にかける力）をもたらすであろう。
【００３４】
図７、図８、及び図９に示されるように、おむつ２０が着用者の胴体下部に着用されたときに、シャーシ１００の前側腰縁部１３６及び後側腰縁部１３８は着用者の腰部を取り囲み、一方同時にシャーシの側縁部１３７ａ及び１３７ｂは着用者の脚を取り囲む。同時に、股部区域３７は、着用者の脚の間に位置されてもよく、吸収性アセンブリ２００は前側腰部区域３６から股部区域３７を通って後側腰部区域３８まで延びる。
【００３５】
シャーシの説明
シャーシ１００は、不透水性バックシート２６を含む。バックシート２６は、おむつ２０の上に着用される任意の衣類に向いて配置されることを意図する外面を形成する。バックシート２６として使用するのに好適な多くの材料が周知であり、ポリエチレン及び他のポリオレフィン類のフィルムが挙げられる。フィルム３０と不織布材料３１との積層体又は多数の不繊布層の積層体のような多層バックシートもまた、バックシート２６としての使用に好適である場合がある。そのようなバックシートは、図１、図２、図３、図４、図５、及び図６に示される通り、フィルムの外部に不織布３１を配置された状態で配向されて、最外層としてフィルム３０を使用して提供されるよりも更に布様の最外層の感触及び外観を提供してもよい。フィルム３０と不織布３１との積層体などの多層バックシート２６は、フィルム３０を着用者の皮膚から離すために内部に配置される不織布３１、又はフィルム３０を挟むように外部及び内部の両方に配置される不織布３１と共に使用するのにも好適である。更に、多層積層体の不織布３１層及びフィルム３０層は、異なる幅を有してよく、例えば、フィルム３０は不織布３１よりも幅広でよいか、あるいは、不織布３１はフィルム３０よりも幅広であってよい。
【００３６】
図１、図２、図３、図４、図５、及び図６に示されるように、代表的なシャーシ１００は、着用者に対して内側に面し、着用者に接触するおむつ２０の内部部分上に配置された、長手方向に延びて横方向に対向するサイドフラップ１４７を有する。サイドフラップ１４７はシャーシ１００の一部を横方向に内向きに、すなわち、長手方向軸４２に向かって折り畳むことにより形成され、シャーシ１００のそれぞれのサイドフラップ１４７及び側縁部１３７を形成してよい。あるいは、図２９に示されるように、サイドフラップ１４７はシャーシ１００の各側縁部１３７に又はそれらに隣接して、追加の層をシャーシ１００に取り付けることによって形成されてもよい。
【００３７】
各サイドフラップ１４７は、近位縁部１５７を有する。図１に示される代表的なおむつ２０では、サイドフラップ１４７は、吸収性アセンブリ２００と重なり合う、すなわち、近位縁部１５７は、吸収性アセンブリ２００の各側縁部２３７の横方向に内向きにある。このような重なり合った形体は、重なり合わない形体で付与される外観よりも、更に洗練された外観をおむつ２０に付与するために望ましいことがある。あるいは、サイドフラップ１４７は、吸収性アセンブリ２００と重なり合わなくてもよい。
【００３８】
各サイドフラップ１４７は、前側腰部区域３６内の長手方向に配向されたサイドフラップ取付け領域１５１及び後側腰部区域３８の長手方向に配向されたサイドフラップ取付け領域１５２でシャーシ１００の内面１０２に取り付けられ得る。
【００３９】
図１に示される代表的なシャーシ１００では、サイドフラップ１４７はまた、前側腰縁部１３６に隣接し、横方向に配向したサイドフラップ取付け領域１５３内、及び後側腰縁部１３８に隣接し、長手方向に対向して横方向に配向されたサイドフラップ取付け領域１５４内で、シャーシ１００の内面１０２に取り付けられ得る。
【００４０】
吸収性アセンブリ２００の前側縁部２３６又は後側縁部２３８がそれぞれシャーシ１００の前側腰縁部１３６又は後側腰縁部１３８と一致し、かつ、サイドフラップ１４７が吸収性アセンブリ２００と重なり合う実施形態では、サイドフラップ１４７は、シャーシ１００の内面１０２に取り付けられる代わりに又はそれに加えて、吸収性アセンブリ２００に取り付けられてもよい。
【００４１】
シャーシ１００が、フィルム３０と不織布３１との積層体などの多層シャーシウェブ１４９を含む実施形態では、不織布３１は、フィルム３０の最大幅まで横方向に延ばしてよいか、あるいは、不織布３１は、フィルム３０層の幅より狭い幅を有してよい。不織布３１が、フィルム３０の幅未満である横方向の範囲を有する実施形態では、サイドフラップ１４７を形成するために折り畳まれているシャーシウェブ１４９の一部分は、実質的にフィルム３０層のみからなってよく、又は実質的にフィルム３０層からなってよい（換言すれば、多層シャーシ１４９において、不織布３１は、シャーシ側縁部１３７ａの１つから対向する側縁部１３７ｂまでにわたって延びてよく、又は別の方法として、不織布３１は、シャーシ側縁部１３７ａ及び１３７ｂを巻き込んで、サイドフラップ１４７ａ及び１４７ｂの一部分を覆ってよい）。不織布３１が、フィルム３０の幅よりも広い幅である横方向の範囲を有する実施形態では、サイドフラップ１４７を形成するために折り畳まれているシャーシウェブ１４９の一部分は、実質的にフィルム３０層のみからなってよく、又は実質的にフィルム３０層からなってよい。更には、多層シャーシウェブ１４９の不織布３１は、フィルム３０の長さの最大の範囲まで長手方に延びてよく、又は別の方法として、不織布３１は、フィルム３０層の長さよりも短い長さ範囲を有してよい。不織布３１が、フィルム３０の長さよりも短い長さである長手方向の範囲を有する実施形態では、前側腰部区域３６及び／又は後側腰部区域３８において、不織布３１に覆われていないシャーシ１００の一部分は、腹部伸縮性パネル３６０、３７０、３８０、及び３９０で覆われてよい。
【００４２】
図２１〜２８に図示されるように、１つ以上のシャーシウェブ１４９の層（例えば、フィルム３０及び不織布３１）は、例えば、６１５、６１８ａ及び６１８ｂのような１つ以上のデザイン領域を含んでよい。第１デザイン領域６１５は、他のデザイン領域と異なっていてよく（すなわち、例えば、それは第２デザイン領域６１８ａ及び第３デザイン領域６１８ｂのようなその他のデザイン領域と比較した場合に相違を示す）、又はバックシート２６の他の部分若しくは、例えば、第４デザイン領域６６０を含む腹部伸縮性パネル３６０及び第５デザイン領域６８０を含む腹部伸縮性パネル３８０のように、おむつ２０（肉眼で観察して手付かずな状態のおむつ）の視認可能な表面の他の部分と異なっていてよい。デザイン領域６１５、６１８ａ、６１８ｂ、６６０、及び６８０は、個別のグラフィック要素（例えば、ヒトの毛髪のイメージは、第１グラフィック要素であり、ヒトの目のイメージは第２グラフィック要素であり得る）、グラフィック要素のパターン、及び無地若しくは断続的に着色された領域、のうちの１つ又はそれらの組み合わせを含んでよい。例えば、様々なデザイン領域は、長手延在方向に形成される連続的に繰り返すパターンからなってよい。あるいは、デザイン領域６１５、６６０、及び６８０は、特定の寸法のおむつ２０のために、又は特定の領域（例えば、おむつ２０の前側腰部区域３６、後側腰部区域３８、又は股部区域３７）に関連する特定のデザイン言語を提供するように設計されたグラフィック要素（図示せず）からなってよい。このようなグラフィック要素は、デザインが、おむつ２０の高さ（すなわち、長さ）、又はおむつの高さに関連するおむつ２０の部分と関連するか、連想させる意味合いの勾配のついたグラフィックでしばしば表される。更には、混合したデザイン領域を形成するために、２つ以上のデザイン領域を部分的に互いに重なり合わせることが可能である。
【００４３】
特にシャーシウェブ１４９の一部分が、長手方向に延びて横方向に対向するサイドフラップ１４７ａと１４７ｂとを長手方向に延びるように折り畳まれているような本発明の実施形態では、デザイン領域６１５は、吸収性物品の外面１０４の全体を覆う（又は視認可能とする）ように、並びにサイドフラップ１４７ａ及び１４７ｂの上面６１３ａの一部分を覆う（視認可能である）ように延びてよい。明確にするために、デザイン領域は、不織布３１が外部で結合するフィルム３０上に印刷される場合には、バックシート２６の外面１０４、又はサイドフラップ１４７ａ及び１４７ｂの上面６１３ａ及び６１３ｂを形成する不織布３１を通して視認可能であってよい。このような場合、デザイン領域６１５及び６１８は、不織布３１の特性（例えば、厚さ、透明性、不透明度など）によって、視認可能であるであろう。
【００４４】
１つの実施形態では、第１デザイン領域６１５は、シャーシ１００の横方向に対向する側縁部１３７ｂに対して横方向に延びる。シャーシ１００の外表面１０４を覆うのに加えて、シャーシ１００の側縁部１３７ａ及び１３７ｂを巻き込む第１デザイン領域６１５を有し、サイドフラップ１４７ａ及び１４７ｂの少なくとも一部分を覆うために横方向に内向きに延びるのが好ましいであろう。あるいは、サイドフラップ１４７ａ及び１４７ｂは、第２デザイン領域６１８ａ及び第３デザイン領域６１８ｂを含み得る。特定の実施形態では、デザイン領域６１５、６１８ａ及び６１８ｂ、６６０及び６８０は、吸収性物品の視認可能部分に対して心地良い審美的な外観を提供するだけでなく、おむつ２０の適用中、着用者又は介助者がサイドフラップ１４７ａ及び１４７ｂを適切に配置するのを補助するように、バックシート２６からサイドフラップ１４７ａ及び１４７ｂ、又はサイドフラップ自体からサイドフラップ１４７ａ及び１４７ｂの一部分を区別（例えば、カフフラップ６３１とサイドバリア６３３を区別する）し得る。図２３及び２４を参照すると、例えばバックシート２６は、シャーシウェブ１４９の左折り目６０８ａに沿って起伏し、シャーシウェブ１４９の右折り目６０８ｂで終了するデザイン領域６１５を有する。折り目６０８ａ及び６０８ｂは、バックシート２６に沿って折り畳まれる線であり、サイドフラップ１４７ａ及び１４７ｂ並びに側縁部１３７ａ及び１３７ｂが形成される。第２デザイン領域６１８は、第１デザイン領域６１５の右側縁部６１９から折り畳まれていない右縁部１５５ｂ（シャーシ１００を折り畳んでサイドフラップ１４７ａ及び１４７ｂを形成する場合に、サイドフラップ１４７ｂの近位縁１５７ｂとなる）まで延びてよい。あるいは、図２５及び２６に示されるように、第１デザイン領域６１５は、サイドフラップ１４７ａ及び１４７ｂが視覚的に区別できる要素となるように、シャーシ１００の左縁部１３７ａのある地点又はそれに隣接する地点から右縁部１３７ｂのある地点又はそれに隣接する地点まで延びてよい。第１デザイン領域６１５、第２デザイン領域６１８ａ、存在するのであれば第３デザイン領域６１８ｂの全ては、特に、第２弾性ストランド１６８ａ及び１６８ｂが、ダブルカフ特性（すなわち、第１弾性ストランド１６７ａ及び１６７ｂ並びに第２弾性ストランド１６８ａ及び１６８ｂの組み合わせであって、ここで、第１弾性ストランド１６７ａ及び１６７ｂは、サイドフラップ１４７ａ及び１４７ｂの近位縁部１５７ａ及び１５７１ｂに隣接し、第２弾性ストランド１６８ａ及び１６８ｂは、シャーシ１００の側縁部１３７ａ及び１３７ｂと隣接して対向する）が視覚的に強調されるように使用される際、サイドフラップ１４７ａ及び１４７ｂの一部分（例えば、カフフラップ６３１及びサイドバリア６３３）をより視覚的に区別することが可能である。図２７及び２８に示されるように、ダブルカフ特性は、第２デザイン領域６１８ａ又は第３デザイン領域６１８ｂにグラフィック要素を含まないため、無地（単色）及び作成されたバックシート２６の質感を含むサイドフラップ１４７ａ及び１４７ｂと対照的である第１デザイン領域６１５によって強調されてもよいことを理解すべきである。
【００４５】
図２１及び２２に示されるように、腹部伸縮性パネル３６０、３７０、３８０、及び３９０は、それぞれ、第４デザイン領域６６０、第５デザイン領域６７０、第６デザイン領域６８０、及び第７デザイン領域６９０を含む。１つの実施形態では、デザイン領域６６０及び／又は６８０は、（装着時に）吸収性物品の外部に見えるグラフィック要素を１つだけ含んでよく、すなわち、（装着時に）物品の視認可能な外部の残り部分には、更なるグラフィック要素は有さない。代替の実施形態では、（装着時に）腹部伸縮性パネルの視認可能な外部におけるデザイン領域６６０及び／又は６８０は、多色グラフィック要素又はデザイン領域を含んでもよく、（装着時に）吸収性物品の視認可能な外部の残り部分は、単色のデザイン領域を含んでもよい。更に他の実施形態では、腹部伸縮性パネルのデザイン領域６６０及び／又は６８０は、単色のデザイン領域を含んでよく、デザイン領域６１５若しくは６１８は、多色デザイン領域を含んでよい。あるいは、デザイン領域６６０及び／又は６８０は、単色のデザイン領域又は多色デザイン領域及び／若しくは多色グラフィック要素を含んでよく、グラフィック用を含まないか、単色のデザイン領域又は単色若しくは多色グラフィック要素を含むバックシートと組み合わされ得る。
【００４６】
更に、前側腰部区域に配置される腹部伸縮性パネルのデザイン領域６６０は、吸収性物品の前側を示すことを意図とするグラフィック要素を含んでよく、後側腰部区域に配置される腹部伸縮性パネルのデザイン領域６８０は、吸収性物品の裏部を示すことを意図とするグラフィック要素を含んでよいため、介護者又は着用者が、適用において製品を正確に配置するのに役立つ。同様に、前側腰部区域に配置されるデザイン領域６１５を含むバックシートは、吸収性物品の前側を示すことを意図とするグラフィック要素を含んでよく、その一方で、後側腰部区域に配置されるバックシートのデザイン領域６１５は、吸収性物品の後側を示すことを意図するグラフィック要素を含んでよい。
【００４７】
長手方向に対向するサイドフラップ取付け領域間では、サイドフラップ１４７の近位縁部１５７は固定されないままである、すなわち、シャーシ１００の内面１０２又は吸収性アセンブリ２００に取り付けられていない。また、長手方向に対向するサイドフラップ取付け領域間では、各サイドフラップは、多くの周知の手段のいずれかによってサイドフラップの近位縁に隣接して取り付けられ得る、１つ以上（特に、サイドフラップ当たり、１つ、２つ、３つ又は４つのストランドなど）の長手方向に延伸可能なフラップ弾性ギャザー部材を包み得る。そのようなフラップ弾性ギャザー部材はそれぞれ、その全長にわたって取り付けられてもよいか、又はその長さの一部分のみに取り付けられてもよい。例えば、そのようなフラップ弾性ギャザー部材は、その長手方向に対向する端部で又はその近くでのみ取り付けられてもよく、その長さの中間部で取り付けられなくてもよい。そのようなフラップ弾性ギャザー部材は、股部区域３７に配置されてもよく、また前側腰部区域３６及び後側腰部区域３８の片方又は両方の中まで延びてもよい。例えば、図１に示される代表的なシャーシ１００では、弾性ストランド１６７が各サイドフラップ１４７の近位縁部１５７に隣接して取り付けられてよく、前側腰部区域３６と後側腰部区域３８の両方に延びる。
【００４８】
各フラップ弾性ギャザー部材は、折り畳まれたへりの内側に囲まれてもよい。例えば、図４及び図５に示される代表的なシャーシ１００では、各弾性ストランド１６７は各サイドフラップ１４７の近位縁部１５７に隣接して形成されたへり１７０の内側に囲まれ得る。あるいは、フラップ弾性ギャザー部材はシャーシの２つの層の間に挟まれてもよく、シャーシ１００の表面上に取り付けられ、露出されたままでもよい。
【００４９】
引張されるとき、サイドフラップの各近位縁部に隣接して配置されたフラップ弾性ギャザー部材は、サイドフラップの縁部がシャーシの収縮していない平坦な長さ、例えば、図１に示されるようなシャーシ１００の長さまで延びるのを可能にする。弛緩させられるときに、フラップ弾性ギャザー部材は収縮して、前側腰縁部１３６及び後側腰区域１３８を互いに向かって引き、それによりおむつ２０を「Ｕ」字形の内部が着用者の体に向かって置かれることを意図するおむつ２０の部分により形成され得る、「Ｕ」字形に曲げる。各近位縁部１５７は、長手方向に対向するサイドフラップ取付け領域１５１と１５２の間で固定されないままであるため、弾性ストランド１６７の収縮力により、サイドフラップ１４７の近位縁部１５７は、シャーシ１００の内面１０２から離れて持ち上がる。おむつ２０が弛緩状態であるときに、近位縁部１５７がこのように持ち上がると、サイドフラップ１４７は吸収性アセンブリ２００の側縁部２３７に隣接するサイドバリアとして機能する位置に持ち上がる。
【００５０】
図１、２、４、５、１８、１９、及び２０に示されるように、１つ以上（特に、サイドフラップ当たり、１つ、２つ、３つ、又は４つのストランドなど）の第２弾性ストランド１６８ａ及び１６８ｂは、サイドフラップ１４７ａ及び１４７ｂを形成するために折り畳まれている場合に、シャーシ１００の側縁部１３７ａ及び１３７ｂに又はそれらに隣接して取り付けられてよい。弛緩状態になると、第２弾性ストランド１６８ａ及び１６８ｂが、シャーシ１００の側縁部１３７ａ及び１３７ｂをひだ寄せしてサイドバリア６３３ａ及び６３３ｂを形成し、尿及び糞便の漏れに対するバリアとして機能し得る。チャネル６２１ａ及び６２１ｂは、シャーシウェブ１４９のチャネル６２１ａ及び６２１ｂを形成する部分が、大部分が自身又は第２弾性ストランド１６８ａ又は１６８ｂに接着されないままであるように、特に、対向する腰部区域３６及び３８のそれぞれにおいて、第２弾性ストランド１６８ａ及び１６８ｂがチャネル６２１ａ及び６２１ｂの中空部分に浮かんで、第２弾性ストランド１６８ａ及び１６８ｂが、製造中におむつ２０が切断され、接着された長さまで戻ることができるように、サイドフラップ１４７ａ及び１４７ｂを形成するように折り畳まれている場合に、シャーシ１００の側縁部１３７ａ及び１３７ｂに隣接して形成され得る。
【００５１】
図２、４、５、１８、１９、及び２０に示されるように、サイドフラップ１４７は、カフフラップ６３１及びサイドバリアに形成され得る。特に、サイドバリア取付け具６３０は、第１ストランド１６７と第２ストランド１６８との間で方向付けられ得る。サイドバリア取付け具６３０の長手方向軸線４２に対する配置は、カフフラップ６３１の深さ及びサイドバリア６３３の寸法に直接かつ連動して影響する。例えば、サイドバリア取付け具６３０は、カフフラップ６３１の深さが減少し、サイドバリア６３３の寸法が増えると、横方向に内向きに移動する。反対に、図１８に示されるように、サイドバリア取付け具６３０は、カフフラップ６３１の深さが増加し、サイドバリア６３３の寸法が減ると、横方向に外向きに移動する。カフフラップ６３１及びサイドバリア６３３の深さ及び／又は寸法を向上させるために、様々な用途に順応し得る。図１９に示されるように、このような実施形態の１つでは、カフフラップ６３１の深さが減少し、サイドバリア６３３が増大することで、プルオンパンツ型の適用において、より良い適用がもたらされることが分かっている。この構成によって、脚開口部（図１９には示されず）の寸法が増加し、着用者がおむつ２０に脚を入れるのがより容易となる。更に他の実施形態では、カフフラップ６３１の深さが増加し、サイドバリア６３３の寸法が減少することで、改善された漏れ防止及び容量の更なる認識をもたらす。
【００５２】
サイドフラップ１４７の近位縁部１５７からサイドバリア取付け具６３０までを測定するカフフラップ６３１の深さは、約２ｃｍ〜約７ｃｍ、約２．５ｃｍ〜約６．５ｃｍ、又は約３ｃｍ〜約６ｃｍであってよい。サイドフラップ１４７の近位縁部１５７からシャーシ１００の近位縁部１３７までを測定するサイドフラップ１４７の長さは、約４．５ｃｍ〜約９．５ｃｍ、約５ｃｍ〜約８．５ｃｍ、又は約５．５ｃｍ〜約７．５ｃｍであってよい。あるいは、図２０に示されるように、第２サイドバリア取付け具対６３０ｃ及び６３０ｄは、サイドバリア６３３の高さに影響を与えることなく、サイドフラップ１４７のカフフラップ６３１の高さを調整できるように、使用され得る。チャネル６３４ａ及び６３４ｂは、サイドバリア取付け具６３０ａと６３０ｃとの間、及び／又は６３０ｂと６３０ｄとの間に形成されてよく、内部に配置される１つ以上の追加の弾性ギャザー部材／ストランド６３５ａ及び６３５ｂを含んでよい。
【００５３】
サイドフラップ１４７が追加層（例えば、フィルム３０及び／又は不織布３１）をシャーシ１００に、シャーシ１００の側縁部１３７ａ及び１３７ｂのそれぞれで又はそれぞれに隣接して取り付けることでサイドフラップ１４７が形成される実施形態関して、第２弾性ストランド１６８ａ及び１６８ｂは、層（例えば、フィルム３０及び不織布３１）間で配向され、取り付けられ得る（図３０参照）。層（例えば、フィルム３０及び不織布３１）は、チャネル（例えば、６２１ａ及び６２１ｂ）も形成し、上述されるような機能性をもたらし得る。
【００５４】
シャーシの側縁部１３７のそれぞれで及び／又はそれぞれに隣接して、前側腰部区域１３６及び後側腰部区域１３８は相互に取り付けられ、腰部開口部１０及び２つの脚部開口部１２を有する完成パンツ製品を形成する。この取付け具はサイドシーム１１５の形態を有してよい。このようなサイドシームは、一方の内面が他方の外面に接触して位置するように、腰部区域が重なり合う所に、形成してよい。他の形態では、サイドシームは、腰部区域の側縁部が隣接する所に形成してよい。他の形態では、サイドシームは腰部区域の内面又は外面のいずれかが向かい合わせに接触する、すなわち、いわゆるフランジ取り付けられる所に、形成してよい。このようなフランジ取付け具が、図７、図８及び図９に示される。
【００５５】
図７を参照すると、サイドシーム１１５は、再締着可能である第１閉鎖部材７００を含み得る。第１部材７００は、当該技術分野において既知の任意の再締着可能な締着要素を含み得る。例えば、第１閉鎖部材７００は、例えば、フック・ループ式ファスナー、フック・フック式ファスナー、マクロファスナー、ボタン、スナップ、タブ及びスロットファスナー、テープファスナー、接着剤ファスナー、粘着剤ファスナー、磁石式ファスナー、雌雄ファスナーなどを含んでよい。
【００５６】
他の実施形態では、物品を着用者に適用してからの物品の調整を可能にするために、第２閉鎖部材（図示せず）を使用してよい。第２閉鎖部材（図示せず）は、物品の適合性の保持力の向上をもたらす目的で、装着した後のウエストフープ内の張力（すなわち「シンチ」）を向上させる役割を果たす。第２閉鎖部材（図示せず）としては、当該技術分野において既知のいかなる種類のファスナーも挙げられ、第２ファスナーは、腰部フープ内の張力を向上させるのを助ける伸長要素と連携させてもよい。第２閉鎖部材（図示せず）は、第１閉鎖部材７００の１つに隣接して配置され得るか、又は第１閉鎖部材７００の１つと一体化して作製され得る。第２閉鎖部材（図示せず）の目的は、使用者に物品の適合性を可能にすることである。複数の閉鎖部材（すなわち、第１、第２、第３、第４など）は、再締着可能なサイドシーム１１５を形成する要素の１つ又は全てに組み込まれ得る。
【００５７】
更に、閉鎖部材７００は、無限の耐用期間を必要としないが、再締着可能な方法によって取り付けられた閉鎖部材７００が、吸収性物品の典型的な耐用期間にわたって、連続して数回にわたって分離し、再取り付けするのには十分であることは理解されるべきである。実際の締着の強度は、絶対的には締着から再締着まで著しく低下する場合があるが、結果として生じる再締着強度が、締着機構の使用目的に見合うほど十分である場合には、このような低下は、ファスナーの性能の「実質的な悪化」ではないことも理解される。
【００５８】
シャーシ１００の一部又は全体を、シャーシが作られる材料（例えば、バックシート２６）本来の延伸性を超える程度まで延伸可能に作製してよい。着用者が動いている間、シャーシ１００を着用者の身体にぴったり合わせるために、追加の伸展張性が望ましいことがある。例えば、伸展延伸前に特定の大きさを有するシャーシ１００を含むおむつ２０のユーザーに、シャーシ１００の前側腰部区域３６、後側腰部区域３８又は両方の腰部区域を延伸させて、異なる大きさの着用者のための追加の体適用範囲を提供するために、すなわち、おむつを個々の着用者にぴったり合わせるために、更なる延伸性が望ましい場合もある。１つの腰部区域又は複数の領域のこうした延伸は、股部区域３７が腰部区域又は領域類より相対的に少ない程度に延ばされるということであれば、おむつにほぼ砂時計の形を与える場合があり、おむつ２０にそれが着用されたときに、ぴったり合った外観を付与する場合がある。加えて、おむつのコストを最小にするために、追加の延伸性が望ましいことがある。例えば、このような延伸性を有しない比較的小さなおむつを作製することしかできない材料の量を用いて、非延伸状態の小さなおむつが適合する、より大きな着用者を適切に被覆するように延ばすことができるおむつを作製することができる。
【００５９】
腹部伸縮性パネルの説明
図に示されるように、各腹部伸縮性パネルは、シャーシ１００のそれぞれの腰縁部に、又はそれに隣接して配置された周囲方向に延びる長手方向遠位縁部及び、同じ腹部伸縮性パネルが配置されている長手方向遠位縁部より横軸４４に比較的近接して配置されている長手方向に対向する周囲方向に延びる長手方向近位縁部を有する。図１０及び１１に示されるように、各腹部伸縮性パネルはまた、横方向に対向する長手方向に延びる側縁部３７３、内面３７４及び外面３７５を有する。
【００６０】
具体的には、前側内部腹部伸縮性パネル３７０は、存在するときに、周囲方向に延びる長手方向遠位縁部３７１及び長手方向に対向する周囲方向に延びる長手方向近位縁部３７２を有する。前側内部腹部伸縮性パネル３７０はまた、存在するときに、横方向に対向して長手方向に延びる側縁部３７３、内面３７４及び外面３７５を有する。同様に、存在するときに、後側内部腹部伸縮性パネル３９０は遠位縁部３９１、近位縁部３９２、側縁部３９３、内面３９４及び外面３９５を有する。同様に、存在するときに、後側内部腹部伸縮性パネル３６０は遠位縁部３６１、近位縁部３６２、側縁部３６３、内面３６４及び外面３６５を有する。同様に、存在するときに、後側内部腹部伸縮性パネル３８０は遠位縁部３８１、近位縁部３８２、側縁部３８３、内面３８４及び外面３８５を有する。
【００６１】
本明細書に記載したような、シャーシに取り付けられた腹部伸縮性パネルは、快適性及び外観の観点から望ましい。例えば、典型的な伸縮性ウエストバンドとは異なり、各腹部伸縮性パネルが、おむつ２０の腰部区域のいくつかの部分を覆う、すなわち、シャーシ１００の層間に隠れるよりも内面及び外面の１つ又は両方に配置されている。したがって、腹部伸縮性パネルが、上述の不織布のうち１種のような、柔らかで魅力的な材料で形成される場合、露出した腹部伸縮性パネルは、衣類下着に類似する洗練された外観を提供し、それによりユーザーに柔軟性及び快適性の印象を伝えることができる。
【００６２】
吸収性アセンブリの説明
図１２、１３、１４及び１５に示されるように、吸収性アセンブリ２００は、液状体外排泄物を吸収及び保持する働きをする吸収性コア２５０を含む。吸収性コア２５０は、横方向に延びる前縁部２５６と長手方向に対向して横方向に延びる後縁部２５８を有する。吸収性コア２５０は、長手方向に延びる左側縁部２５７ａと、横方向に対向して長手方向に延びる右側縁部２５７ｂも有し、吸収性コアのどちらの側縁部も、前側縁部２５６と後側縁部２５８の間で長手方向に延びる。吸収性コア２５０はまた、内面２５２と外面２５４とを有する。
【００６３】
吸収性アセンブリ２００は、吸収性アセンブリ２００の領域のいずれかの部分又は全体にわたってシャーシ１００の内面１０２に取り付けられてもよい。吸収性アセンブリ２００は、例えば、十字形の取付けパターンのような形状化された取付けパターンで、すなわち、十字若しくは「＋」形を形成するか、そのように配列された取付けパターンで、その外面２０４上でシャーシ１００に取付けられ得る。
【００６４】
十字形の取付けパターンの好適な構成はＬａ  Ｖｏｎに発行された米国特許第６，９６２，５７８号（２００５年１１月８日発行）に開示されている。
【００６５】
吸収性コア２５０は、吸収性コア２５０の外面上に配置された下部カバーシートと、吸収性コア２５０の内面上に配置された上部カバーシートとの間に配置されてもよい。そのような上部カバーシート及び下部カバーシートは、合わせて取り付けられて、それらの間に吸収性コア２５０を収容し、その結果、吸収性アセンブリ２００を形成してもよい。例えば、図１２、１３、及び１４に示される代表的な吸収性アセンブリ２００では、上側カバーシート２４及び下側カバーシート２５は長手方向に延びる接着剤取付け領域２９の吸収性アセンブリ２００の側縁部２３７で又は側縁部２３７に隣接して、相互に取り付けられる。あるいは、上側カバーシート２４及び下側カバーシート２５は吸収性アセンブリ２００の側縁部２３７以外の位置で、例えば、終縁部２３６若しくは２３８で若しくはそれらに隣接して又は終縁部２３６及び２３８並びに側縁部２３７の両方で若しくはそれらに隣接して、相互に取り付けられてもよい。上部カバーシート及び下部カバーシートはどちらも水蒸気透過性、すなわち通気性である。
【００６６】
上部カバーシート２４は透水性であり、液状の汚物を吸収することができる吸収性コア２５０を通過させ得る。下部カバーシート２５は、不透水性であってよい。しかしながら、あるいは、下部カバーシート２５は透水性であってよい。
【００６７】
図１２、１３、及び１４に示される代表的な吸収性アセンブリ２００では、上側カバーシート２４及び下側カバーシート２５は同じ大きさである。すなわち、上側カバーシート２４及び下側カバーシート２５は両方とも、吸収性アセンブリ２００の前縁部２３６及び後縁部２３８、並びに側縁部２３７に延びる。あるいは、上側カバーシート２４及び下側カバーシート２５は異なる大きさであってもよい。
【００６８】
他の例としては、下側カバーシート２４は上側カバーシート２４よりも大きくてもよく、また、吸収性コア２５０の内面上へ吸収性コア２５０の側縁部２５７に巻き付けることができ、そこで上側カバーシート２４と下側カバーシート２５とが相互に取り付けられてよい。あるいは、別個の上側カバーシート２４及び別個の下側カバーシート２５の代わりに、単一のカバーシートを吸収性コア２５０の周りに巻き付け、それ自体に取り付けて吸収性コア２５０を収容してもよい。
【００６９】
吸収性コア２５０は、液状体外排泄物を吸収及び保持する働きをする蓄積構成要素２７２を含む。吸収性コア蓄積構成要素のための好適な既知の材料としては、「エアフェルト」として一般に知られる、粉砕木材パルプの形態をとったセルロース繊維類、天然又は合成繊維性材料、及び超吸収性ポリマー類が挙げられ、単独で又は混合して使用されて通常は層又はシート等へと形成される。
【００７０】
吸収性コアは、１つ以上の蓄積構成要素に加えて、捕捉構成要素を含んでもよい。吸収性コア捕捉構成要素は、付着した液状体外排泄物を捕捉して、これを吸収性コア蓄積構成要素に移行させる働きをする。液状体外排泄物を吸収して蓄積構成要素（単数又は複数）に分配するいずれかの多孔性吸収材料を使用して、捕捉構成要素を形成してもよい。かかる捕捉材料の例は、米国特許第４，９５０，２６４号（Ｏｓｂｏｒｎ、１９９０年８月２１日発行）で更に十分に説明されている。
【００７１】
参考として組み込むこと及び意図される請求の範囲の説明
相互参照される又は関連するあらゆる特許又は出願書類を含め、本明細書において引用される全ての文献は、明示的に除外ないしは制限されない限り、その全体を参考として本明細書に組み込まれる。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。更に、本書における用語のいずれかの意味又は定義が、参考として組み込まれた文献における同一の用語のいずれかの意味又は定義と相反する限りにおいて、本書においてその用語に与えられた定義又は意味が適用されるものとする。
【００７２】
本発明の特定の実施形態について説明し記載したが、本発明の趣旨及び範囲から逸脱することなく他の様々な変更及び修正が可能であることが当業者には自明である。したがって、本発明の範囲内にあるそのような全ての変更及び修正を、添付の書類名特許請求の範囲で扱うものとする。
【図１】
2011522681.tif 000003
【図２】
2011522681.tif 000004
【図３】
2011522681.tif 000005
【図４】
2011522681.tif 000006
【図５】
2011522681.tif 000007
【図６】
2011522681.tif 000008
【図７】
2011522681.tif 000009
【図８】
2011522681.tif 000010
【図９】
2011522681.tif 000011
【図１０】
2011522681.tif 000012
【図１１】
2011522681.tif 000013
【図１２】
2011522681.tif 000014
【図１３】
2011522681.tif 000015
【図１４】
2011522681.tif 000016
【図１５】
2011522681.tif 000017
【図１６】
2011522681.tif 000018
【図１７】
2011522681.tif 000019
【図１８】
2011522681.tif 000020
【図１９】
2011522681.tif 000021
【図２０】
2011522681.tif 000022
【図２１】
2011522681.tif 000023
【図２２】
2011522681.tif 000024
【図２３】
2011522681.tif 000025
【図２４】
2011522681.tif 000026
【図２５】
2011522681.tif 000027
【図２６】
2011522681.tif 000028
【図２７】
2011522681.tif 000029
【図２８】
2011522681.tif 000030
【図２９】
2011522681.tif 000031
【図３０】
2011522681.tif 000032
【図３１】
2011522681.tif 000033
【国際調査報告】
2011522681.tif 000034
2011522681.tif 000035
2011522681.tif 000036